(57)【特許請求の範囲】
【請求項１】
回動用の穴が形成された薄板部材からなる電話番号カードと、電話機本体の底面から下方に突出し、前記電話番号カードの回動用の穴に嵌合し脱落阻止部が係合することにより該電話番号カードを回動自在に保持するための回動軸体と、前記電話機本体の底面から下方に突出し、前記回動軸体に回動自在に保持された前記電話番号カードを該回動軸体の脱落阻止部との間で挟持して該電話番号カードの姿勢を静止状態に保つための静止保持体とを有し、前記電話番号カードを前記電話機本体の底面に収納した位置と該電話機本体の側方に引き出した位置との間を回動可能とした電話機であって、
前記回動軸体は、前記電話番号カードを回動する際の回動の中心軸となる中心軸部の先端部に前記脱落阻止部が設けられ、該脱落阻止部は該中心軸部から径方向外方に向けて張り出された該中心軸部よりも大径に形成され、
前記電話番号カードの穴は、前記回動軸体が挿通可能な形状の装着穴部と、前記回動軸体の中心軸部が嵌合する回動中心穴部と、前記装着穴部と前記回動中心穴部とを連通する連通穴部とが連続する形状に構成され、前記回動中心穴部と前記連通穴部との境界部分には、該境界部分の穴幅を狭め、前記回動軸体の中心軸部に対して前記連通穴部と回動中心穴部との間の自由移動を阻止するが、該電話番号カードを引っ張ることにより該中心軸部を乗り越えて前記連通穴部と前記回動中心穴部との間の移動を可能とする係止部が設けられていることを特徴とする電話機。
【請求項２】
前記電話番号カードの穴は、該電話番号カードを前記電話機本体の底面に収納した状態において、上面から見て右上がりの４５度に傾斜した形状で下方に前記装着穴部が配置され、上方に前記回動中心穴部が配置され、前記回動軸体の脱落阻止部は、前記中心軸部から径方向外方に突出する一対の突起部で構成され、該一対の突起部の内、一方の突起部が前記電話機本体に対して手前側に配置されると共に該電話機の前後方向に沿って延び、他方の突起部が該電話機本体の奥側で該一方の突起部と対向配置あるいは、該電話機本体の底面から見て該対向配置位置よりも４５度反時計回り方向にずれた位置に配置されていることを特徴とする請求項１に記載の電話機。
【請求項３】
前記回動軸体の脱落阻止部は、前記中心軸部の軸径よりも大径の円板状に形成したことを特徴とする請求項１に記載の電話機。
【請求項４】
前記回動軸体の脱落阻止部は、先端部に向かって外径が大きくなる逆円錐台形状に形成したことを特徴とする請求項１に記載の電話機。
【発明の詳細な説明】
【０００１】
【産業上の利用分野】
この発明は、電話番号等をメモしておく電話番号カードを電話機本体の底面に装着した電話機に関し、特に当該電話番号カードを１点で軸支して当該電話番号カードを回動させることにより電話機底面から引き出す構造（回転引き出し構造）とした電話機に関する。
【０００２】
【従来の技術】
従来の回転引き出し構造による電話番号カードの保持構造は、電話機本体の底面に、先端部分が鍵形状の転動軸体を設け、電話番号カードに当該鍵形状の形状と略同一の形状の穴を設けて、当該穴を上記転動軸体に嵌め込むことで電話番号カードを電話機本体の底面に軸支保持する構造となっている。
【０００３】
また、電話番号カードの電話機本体の底面への収納位置と電話機本体の側面への引き出し位置を規定するための２つの突起（ストッパー）が電話機本体の底面に設けられ、該ストッパーで規制される電話番号カードの回動範囲内では、電話番号カードは転動軸体の鍵部に係止されて外れないようになっており、このため電話番号カードを電話機本体の底面に装着する際には、電話番号カードの回動範囲を外れた角度で装着し（電話番号カードの穴はこの装着角度では転動軸体の鍵部に引掛からないような形に形成されており、また上記ストッパーは当該装着角度では当該電話番号カードの下側となる）、次に電話番号カードを、その回動範囲となるまで回動させる（これにより、電話番号カードの穴部周縁に上記鍵部が引掛かり、電話番号カードが脱落しなくなる。また、このとき上記ストッパーは当該電話番号カードの端辺外に出ることとなる。）ようにしている。
【０００４】
【発明が解決しようとする課題】
以上の従来技術によると、電話番号カードを装着する際には、電話番号カードがストッパーに当たるため、電話番号カードを強制的に撓ませて装着し、撓ませたままの状態で回動範囲まで回転させる必要があることから、装着作業が非常に行ないにくく、また電話番号カードを電話機本体の底面に収納した状態又は電話機本体の側面に引き出した状態で静止保持するために、当該電話番号カードと電話機本体の底面とは軽い摩擦力で接触するようになっており当該電話番号カードの引出し、収納の繰り返しにより電話番号カードの情報記載面が電話機本体の底面との間の摩擦により汚れてしまい、該情報記載面に記載の内容が読み取りづらくなる等の問題があった。
【０００５】
【課題を解決するための手段】
本発明は、請求項１に記載のように、回動用の穴が形成された薄板部材からなる電話番号カードと、電話機本体の底面から下方に突出し、前記電話番号カードの回動用の穴に嵌合し脱落阻止部が係合することにより該電話番号カードを回動自在に保持するための回動軸体と、前記電話機本体の底面から下方に突出し、前記回動軸体に回動自在に保持された前記電話番号カードを該回動軸体の脱落阻止部との間で挟持して該電話番号カードの姿勢を静止状態に保つための静止保持体とを有し、前記電話番号カードを前記電話機本体の底面に収納した位置と該電話機本体の側方に引き出した位置との間を回動可能とした電話機であって、前記回動軸体は、前記電話番号カードを回動する際の回動の中心軸となる中心軸部の先端部に前記脱落阻止部が設けられ、該脱落阻止部は該中心軸部から径方向外方に向けて張り出された該中心軸部よりも大径に形成され、前記電話番号カードの穴は、前記回動軸体が挿通可能な形状の装着穴部と、前記回動軸体の中心軸部が嵌合する回動中心穴部と、前記装着穴部と前記回動中心穴部とを連通する連通穴部とが連続する形状に構成され、前記回動中心穴部と前記連通穴部との境界部分には、該境界部分の穴幅を狭め、前記回動軸体の中心軸部に対して前記連通穴部と回動中心穴部との間の自由移動を阻止するが、該電話番号カードを引っ張ることにより該中心軸部を乗り越えて前記連通穴部と前記回動中心穴部との間の移動を可能とする係止部が設けられていることを特徴とする。
【０００６】
【作用】
電話番号カードは電話機本体の底面に設けられた回動軸体と静止保持体とで挟持、かつ、自由回動しないように保持されるとともに、該電話番号カードの回動穴部が上記回動軸体に係合すると簡単に抜け出なくなり、当該電話番号カードは、中心軸部を中心に強制力によって回動され、該強制力がなくなった場合には上記脱落阻止部と静止保持体で挟持されることにより自由回動しないように保持され、当該電話番号カードを当該強制力がなくなった位置で静止させるとともに上記回動軸体と静止保持体とで保持されていることにより電話機の底面とは無接触とすることが可能となる。
【０００７】
【実施例】
［実施例１］
本発明の第１の実施例を図１〜図５を用いて説明する。
【０００８】
図１は電話番号カードの正面図、図２は電話機底面に電話番号カードを収納、および該電話番号カードの回動により該電話機本体の底面から引き出した状態を示す図、図３は電話機本体の底面２から下方に突出する回動軸体２１の構成を示す図、図４−（Ａ）は、該回動軸体２１に該電話番号カード１が具備している穴１２を挿入し、当該電話番号カード１が具備している穴１２を該回動軸体２１に取付けるための第一段階を示す拡大図、図４−（Ｂ）は、図４−（Ａ）の状態から引き続き、該電話番号カード１のスライドによって当該電話番号カード１の穴１２の当該回動軸体２１への装着が完了した状態を示す拡大図、図４−（Ｃ）は該装着完了後、当該電話番号カード１を９０度回動させた時にも当該回動軸体２１に当該電話番号カード１が回動自在に保持されている状態を示す拡大図、図５は上記電話番号カード１を電話機本体の底面２に保持している機構の断面拡大図である。
【０００９】
電話番号カード１は、図１に示すように薄板で形成され、電話機が電話番号を記憶している相手の名前と対応している番号である短縮ダイヤル番号等が記憶されている情報記録部１１と、電話機本体の底面２から下方に突出する回動軸体２１に上記電話番号カード１を装着するための穴１２と、上記電話機本体の底面２から電話番号カード１を回動軸体２１を中心に回動するとき、手動での引き出す際に回動力を加える部分である引き出し部１３等が設けられている。
図１は電話番号カード１を表面側から見た平面図で、電話機本体の底面２側から見た図２との関係より、電話機本体を上面から見た状態において、電話番号カード１は該電話機本体の右側部に配置される。図１に示す状態は、図の下方向を電話機本体の手前側、上方向を電話機本体の奥側として置いた場合、電話番号カード１を電話機本体の底面２に収納した状態である。
さらに、上記穴１２は、図１に示すように電話番号カード１の下部に配置されていて、全体的に右上がり傾斜の長穴状に形成されている。なお、この穴１２を電話番号カード１の裏面側から見ると右下がりとして見えることになる。
電話番号カード１を図１で見て、穴１２は、左下部に回動軸体２１が挿通可能な形状の装着穴部１２１と、該回動軸体２１の中心軸部２１２と嵌合する大きさに形成され、右上部に配置された回動中心穴部１２２と、該回動中心穴部１２２と装着穴部１２１とを連通する溝状の連通穴部１２３とを有し、装着穴部１２１と回動中心穴部１２２と連通穴部１２３とが一直線上に４５度の傾斜角度で配置され、さらに当該回動中心穴部１２２と連通穴部１２３の境界部分には、連通穴部１２３の溝幅を回動軸体２１の中心軸部２１２の軸径よりも狭める係止部１２４が連通穴部１２３の両側に対向配置されており、回動軸体２１の中心軸部２１２に対し、回動中心穴部１２２と連通穴部１２３間の自由移動がこの一対の係止部１２４により阻止され、電話番号カード１を強制力によって引っ張ることで回動中心穴部１２２と装着穴部１２１間の移動が可能となるようにしている。
【００１０】
上記した回動軸体２１の構成を以下に説明する。図２、図３及び図５に示すように、電話機本体の底面２には、該底面２から電話機本体に対して下方に延びる中心軸部２１２の下端部に一対の脱落阻止端２１１２を対向して水平方向に延出させて断面Ｔの字形状に形成した回動軸体２１が設けられている。
また、図２及び図５に示すように、電話機本体の底面２には、回動軸体２１の回りに円環状に形成された静止保持体２２が該底面２から電話機本体に対して下方に向けて突出するように設けられており、この静止保持体２２は、該回動軸体２１の脱落阻止端２１１２より低く形成され、前記電話番号カード１を静止保持体２２の先端面と回動軸体２１の一対の脱落阻止端２１１２の内面側である脱落阻止面２１１１との間で挟持、かつ保持することで、電話番号カード１の自由回動ができずに強制力によって回動できるようにしている。
さらに、前記電話番号カード１を図２に示す収納状態から引き出すために９０度反時計方向に回動させたとき（図１に示す状態では時計方向に９０度回動させたとき）にそれ以上の回動を防止するためのストッパー兼ゴム足２３−１と、このストッパー兼ゴム足２３−１以外のゴム足２３−２〜２３−４とが電話機本体の底面２の四隅に設けられ、前記引き出し部１３を残して前記電話番号カード１を図２中実線で示す電話機本体の底面２の下方への収納した時に、前記電話番号カード１がさらに回動して引き出し部１３も収納されるのを防ぐためのストッパー２４が設けられている。
なお、図１及び図２に示すように、電話番号カード１はその右下隅部１ａが弧状に形成され、さらに右下側縁と該右下隅部１ａとの境界部分が段付き形状の段部１ｂに形成され、左下隅部１ｃは角部に形成されている。そして、図２中電話番号カード１が電話機本体の底面２の下方に収納された状態において、電話番号カード１の左下隅部１ｃの下端縁がストッパー２４に当接し、また２点鎖線で示す状態に回動して引き出す際に、右下隅部１ａが弧状に形成されているためストッパー兼ゴム足２３−１と干渉することなく段部１ｂがストッパー兼ゴム足２３−１に当接するまで回動が許容される。
【００１１】
図３は、電話機本体の底面２に具備されている回動軸体２１の構成を示す図で、該回動軸体２１は、前記装着穴部１２１と略同一の大きさである脱落阻止部２１１と、該脱落阻止部２１１より小さい径であって前記回動中心穴部１２２と略同一の大きさである中心軸部２１２で構成され、また当該脱落阻止部２１１は、脱落阻止面２１１１と脱落阻止端２１１２で構成される。
なお、図２に示すように、一対の脱落阻止端２１１２は、電話機本体の前後方向に沿って延出され、電話番号カード１を図２中実線で示す収納位置に合わせた状態において、電話番号カード１の穴１２に形成されている装着穴部１２１の輪郭が回動軸体２１の脱落阻止部２１１と同じ向きに形成されている。
【００１２】
電話番号カード１の穴１２を前記回動軸体２１に装着するには、図４−（Ａ）のように、先ず、該穴１２の前記装着穴部１２１を前記回動軸体２１の脱落阻止部２１１に挿入する。なお、図４は図２と同様に電話番号カード１を電話機本体の底面２側から見た図である。
次に、回動中心穴部１２２を前記回動軸体２１に向かうように電話番号カード１をスライドさせると、連通穴部１２３に回動軸体２１の中心軸部２１２が嵌合し、さらに一対の係止部１２４が中心軸部２１２に当接するまで電話番号カード１がスライドする。ここで電話番号カード１に対して前記スライドさせる力を大きくすると、一対の係止部１２４が中心軸部２１２を乗り越え、回転中心穴部１２２が中心軸部２１２に嵌合し、図４−（Ｂ）に示す状態となる。
このようにして電話番号カード１を電話機本体の底面２に装着すると、該電話番号カード１は、図２中実線で示すように、該電話機本体の底面２に収納される。
当該電話番号カード１を図４−（Ｂ）に示す状態から前記回動軸体２１を中心に反時計周りに９０度回動させても、その間一対の脱落阻止端２１１２は回動中心穴部１２２の周囲において電話番号カード１との当接が維持される。このため、図４−（Ｃ）に示すように対向２方向に張り出した前記脱落阻止部２１１の双方向の脱落阻止端２１１２はいずれも上記電話番号カード１を静止保持体２２とで上述のように挟持し、かつ回動自在に保持し、上記電話番号カード１は、電話機の底面２から外れることなく回動し、図２に示すように引き出される。
【００１３】
次に、回動軸体２１の静止保持体２２とで電話番号カード１を挟持、かつ保持している仕組みについて図５を用いて具体的に説明する。
【００１４】
まず図５に示すように、回動軸体２１の脱落阻止部２１１は、中心軸部２１２の先端部側面から少なくとも２方向に張り出していて、さらに該脱落阻止部２１１の脱落阻止端２１１２より外側の電話機本体の底面２にカード当接面２２１を有する静止保持体２２が突設され、脱落阻止平面２１１１から静止保持体２２のカード当接面２２１までの間隔寸法は、上記電話番号カード１の厚みよりも若干狭く、すなわち、脱落阻止平面２１１１から静止保持体２２のカード当接面２２１までの間隔は、この間に挟持される上記電話番号カード１が脱落阻止平面２１１１と静止保持体２２のカード当接面２２１とで挟持、保持されかつ摩擦力で自由回動はできないが、強制回動力によっては回動する間隔に設定されている。
【００１５】
［実施例２］
本発明の実施例２を図６−（Ａ）および図６−（Ｂ）を用いて説明する。
【００１６】
図６−（Ａ）に示すように、中心軸部２１２から張り出している２つの突起である脱落阻止端２１１２で成る脱落阻止部２１１の該２つの突起である脱落阻止端２１１２を電話機本体の前後方向に沿って対向配置した図２の場合とは異なり、本実施例では奥側の脱落阻止端２１１２を連通穴部１２３の傾斜方向に向けて配置している。
本実施例では、回動軸体２１の中心軸部２１２から一対の脱落阻止端２１１２の内、手前側の脱落阻止端２１１２は実施例１と同様に電話機本体の前後方向に沿って延出しているが、奥側の脱落阻止端２１１２を実施例１よりも底面２から見て反時計回り方向に４５度傾けて配置しているため、図６−（Ｂ）に示すように電話番号カードを９０度回動させても２つの上記突起である脱落阻止端２１１２が電話番号カード１上に位置し、該電話番号カード１を回動自在に保持する。
【００１７】
［実施例３］
本発明の実施例３を図７−（Ａ）および図７−（Ｂ）を用いて説明する。
【００１８】
図７−（Ａ）（Ｂ）に示すように、本実施例の回動軸体２１は、中心軸部２１２の先端部から円板状の脱落阻止部２１１が張り出して傘状の形状に形成され、また電話番号カード１の穴１２は、実施例１のように装着穴部１２１と回動中心穴部１２２と連通穴部１２３を互いに４５度方向に位置させず、図７−（Ａ）に示すように、カード１の幅方向に一直線に配置することもできる。
【００１９】
図７−（Ｂ）は上記回動軸体２１の側面図である。
【００２０】
［実施例４］
本発明の実施例４を図８を用いて説明する。
【００２１】
本実施例は上記した実施例３に示す回動軸体の変形例を示しており、上記した実施例３における回動軸体２１は中心軸部２１２の先端部に円板状の脱落阻止部２１１を設けているが、本実施例４における回動軸体２１は、中心軸部２１２の先端部に、先端に向かうに従って外径が大きくなる円錐台形状の脱落阻止部２１１を形成したもので、図８はこの円錐台形状の脱落阻止部２１１を備えた回動軸体２１に電話番号カード１を装着した状態を示す図である。
【００２２】
この場合でも図示のように、前記電話番号カード１の回動中心穴部１２２が回動軸体２１の脱落阻止部２１１の外周面をなすテーパー部に係合した状態において、電話番号カード１が静止保持体２２との当接により撓み、実施例１と同様に電話番号カード１が挟持、保持されかつ摩擦力で自由回動はできないが、強制回動力によっては回動することになる。
【００２３】
［実施例５］
本発明の実施例５を図９に示す。
【００２４】
図９−（Ａ）は電話機の側面から見た静止保持体２２の形状を示す図、図９−（Ｂ）は電話機の底面２を上部から見た静止保持体２２の形状を示す図である。
【００２５】
前記静止保持体２２は、図２に示すように円形形状でなくても上記図９−（Ａ）および図９−（Ｂ）に示すように電話機の底面２から互いに独立に突出している突起であってもよい。
【００２６】
【発明の効果】
以上に説明したように本発明は、電話番号カードが具備している穴を電話機本体の底面が具備している回動軸体に挿入し、該電話番号カードをスライドさせることで当該電話番号カードを該電話機本体の底面に装着し、さらに当該電話番号カードを静止保持体と上記回動軸体とで、挟持かつ上記回動軸体を中心に回動自在に保持するようにしたので、本発明によれば上記電話機本体の底面が通常具備している上記電話番号カードの回動角度を制限するためのストッパー等の突起物が障害とならずに該電話番号カードを装着出来るとともに、上記電話番号カードが電話機本体の底面とは無接触に装着出来ることにより上記電話番号カードを回動させても上記電話機本体の底面とは摩擦を生じないので、上記電話番号カードの情報記載面を汚すことなく長期間使用できるという効果がある。
【図面の簡単な説明】
【図１】  電話番号カードの正面図
【図２】  電話機の底面に電話番号カードを収納、および該電話番号カードの回動により該電話機の底面から引き出した状態を示す図
【図３】  回動軸体の構成を示す図
【図４】  （Ａ）：電話番号カードの穴を回動軸体に挿入した図
（Ｂ）：電話番号カードの穴が回動軸体に装着された状態を示す図
（Ｃ）：電話番号カードを９０度回動させた時の該電話番号カードの装着構造を示す図
【図５】  電話番号カードの装着構造の断面拡大図
【図６】  実施例２を示す図
【図７】  実施例３を示す図
【図８】  実施例４を示す図
【図９】  実施例５を示す図
【符号の説明】
１…電話番号カード                    １１…情報記録部
１２…穴                              １２１…装着穴部
１２２…回動中心穴部                  １２３…連通穴部
１２４…係止部                        １３…引き出し部
２…電話機本体の底面                      ２１…回動軸体
２１１…脱落阻止部                    ２１１１…脱落阻止面
２１１２…脱落阻止端                  ２１２…中心軸部
２２…静止保持体                      ２２１…カード当接面
２３−１…ストッパー兼ゴム足          ２３−２…ゴム足
２３−３…ゴム足                      ２３−４…ゴム足
２４…ストッパー
【図１】
0003667358.tif 000002
【図２】
0003667358.tif 000003
【図３】
0003667358.tif 000004
【図４】
0003667358.tif 000005
【図５】
0003667358.tif 000006
【図６】
0003667358.tif 000007
【図７】
0003667358.tif 000008
【図８】
0003667358.tif 000009
【図９】
0003667358.tif 000010